(57)【要約】【課題】より良好な拭き取り清掃を可能にする清掃シートを実現する。【解決手段】清掃シート１００は、掃除具５０の下面に配置されて床面をこすり、こびりついてしまった汚れを拭き取り、床面上の埃や塵を拭き集めることに適した拭面部２０と、狭い隙間にも入り込み、床面上の埃や塵を絡め取ることに適した集塵フラップとして利用できる自由端部３０とを備えており、特に自由端部３０は、掃除具５０に清掃シート１００を装着するための取付端部としても利用できるので、この清掃シート１００を使用することによって、より良好な拭き取り清掃を行うことを可能にした。【選択図】図１
2010081983.tif 000002
【特許請求の範囲】
【請求項１】
掃除具の下面を覆い、その掃除具に装着される清掃シートであって、
積重された複数のシートの最外層同士を止着する少なくとも２箇所の止着部と、
前記止着部間に位置し、前記掃除具の下面側に配置される拭面部と、
前記止着部から前記拭面部の両端側に延在する自由端部と、
を備えることを特徴とする清掃シート。
【請求項２】
前記拭面部において積重されたシートの間に介装される清掃補助材を備えることを特徴とする請求項１に記載の清掃シート。
【請求項３】
前記拭面部において積重されたシートの最外層同士の少なくとも一部が止着されていることを特徴とする請求項１又は２に記載の清掃シート。
【請求項４】
前記自由端部に、切込部が形成されていることを特徴とする請求項１〜３の何れか一項に記載の清掃シート。
【請求項５】
前記止着部において、前記シートはプリーツ状に止着されていることを特徴とする請求項１〜４の何れか一項に記載の清掃シート。
【請求項６】
前記止着部は、前記掃除具の下面の長手方向に対応する互いに略平行な２本の線状に形成されており、その止着部の間の距離は前記掃除具の幅に対応していることを特徴とする請求項１〜５の何れか一項に記載の清掃シート。
【請求項７】
前記拭面部と前記自由端部とは、それぞれ異なる清掃機能が付与されていることを特徴とする請求項１〜６の何れか一項に記載の清掃シート。 
【発明の詳細な説明】
【技術分野】
【０００１】
本発明は、清掃シートに係り、特に掃除具に装着して用いる清掃シートに関する。
【背景技術】
【０００２】
従来、住宅などにおいて床の汚れや埃などを拭き取り、除去するための清掃シートが知られている（例えば、特許文献１参照。）。
【特許文献１】特許第３３４９１２５号公報
【発明の開示】
【発明が解決しようとする課題】
【０００３】
しかしながら、上記従来技術の清掃シート２００をモップ状の掃除具５０に装着して用いる場合、図９に示すように、清掃シート２００の両端部２３０を掃除具５０の上面側に固定するように巻き付けた状態で使用するため、その掃除具５０の厚みより狭い隙間や、床が壁と接するコーナーの隅部など、掃除具５０が接触し難い箇所に拭き残しが生じてしまうことがあった。
また、清掃シート２００の両端部２３０は、掃除具５０への取付端部となるので、その両端部２３０を清掃に使用することができなかった。
【０００４】
本発明の目的は、より良好な拭き取り清掃を可能にする清掃シートを提供することである。
【課題を解決するための手段】
【０００５】
以上の課題を解決するため、請求項１に記載の発明は、
掃除具の下面を覆い、その掃除具に装着される清掃シートであって、
積重された複数のシートの最外層同士を止着する少なくとも２箇所の止着部と、
前記止着部間に位置し、前記掃除具の下面側に配置される拭面部と、
前記止着部から前記拭面部の両端側に延在する自由端部と、
を備えることを特徴とする。
【０００６】
請求項２に記載の発明は、請求項１に記載の清掃シートにおいて、
前記拭面部において積重されたシートの間に介装される清掃補助材を備えることを特徴とする。
【０００７】
請求項３に記載の発明は、請求項１又は２に記載の清掃シートにおいて、
前記拭面部において積重されたシートの最外層同士の少なくとも一部が止着されていることを特徴とする。
【０００８】
請求項４に記載の発明は、請求項１〜３の何れか一項に記載の清掃シートにおいて、
前記自由端部に、切込部が形成されていることを特徴とする。
【０００９】
請求項５に記載の発明は、請求項１〜４の何れか一項に記載の清掃シートにおいて、
前記止着部において、前記シートはプリーツ状に止着されていることを特徴とする。
【００１０】
請求項６に記載の発明は、請求項１〜５の何れか一項に記載の清掃シートにおいて、
前記止着部は、前記掃除具の下面の長手方向に対応する互いに略平行な２本の線状に形成されており、その止着部の間の距離は前記掃除具の幅に対応していることを特徴とする。
【００１１】
請求項７に記載の発明は、請求項１〜６の何れか一項に記載の清掃シートにおいて、
前記拭面部と前記自由端部とは、それぞれ異なる清掃機能が付与されていることを特徴とする。
【発明の効果】
【００１２】
本発明によれば、清掃シートは、掃除具の下面に配置されて床面を擦り、汚れを拭き取ることに適した拭面部と、狭い隙間にも入り込み、床面上の埃や塵を拭き取ることに適した集塵フラップとして利用できる自由端部とを備えており、その自由端部は掃除具への取付端部としても利用することもできるので、この清掃シートを使用することによって、より良好な拭き取り清掃を行うことができる。
【発明を実施するための最良の形態】
【００１３】
以下に、本発明を実施するための好ましい形態について図面を用いて説明する。但し、以下に述べる実施形態には、本発明を実施するために技術的に好ましい種々の限定が付されているが、発明の範囲を以下の実施形態及び図示例に限定するものではない。
本発明に係る清掃シートは、掃除具に装着して用いる取り替え式の清掃シートである。
【００１４】
（実施形態１）
清掃シート１００は、図１（ａ）（ｂ）に示すように、積重された複数（本実施形態１においては２枚）のシートである不織布１、２からなり、その不織布１、２同士を止着する２箇所の止着部１０，１０と、それら止着部１０間に位置し、掃除具５０（図２参照）の下面側に配置される拭面部２０と、各止着部１０から拭面部２０の両端側に延在する自由端部３０，３０と、を備えている。
【００１５】
この清掃シート１００は、図２に示すように、モップ状の掃除具５０の下面を覆うように装着されて使用される。
掃除具５０には、その掃除具５０を操作するためにユーザが握る把持棒５１が連結されており、掃除具５０の上面には、清掃シート１００を装着するための固定部５０ａ，５０ａが設けられている。なお、固定部５０ａ，５０ａは、把持棒５１を挟んだ両側に配されている。
【００１６】
不織布１、２は、例えば、スパンレース、エアスルー、エアレイド、ポイントボンド、スパンボンド、ニードルパンチ等、周知の技術により製造される不織布であり、その構成素材は、レーヨンやコットン、パルプ等のセルロース繊維、ＰＰ（ポリプロピレン）、ＰＥ（ポリエチレン）等のポリオレフィン系やＰＥＴ（ポリエチレンテレフタレート）等のポリエステル系の合成繊維など、清掃シートの用途等に応じて任意の繊維を適用することができ、それらを任意の配合率で混合して製造されたシート状の不織布である。
また、不織布１、２には、繊維同士を相互に融着させるバインダー繊維が含まれていることが好ましく、例えば、鞘部に芯部より融点の低い樹脂を用いた芯鞘構造の熱融着繊維や、芯鞘構造でない単一成分の熱融着繊維などが不織布に配合されている。
なお、不織布１と不織布２は、同一種類の不織布であってもよく、異なる種類の不織布であってもよい。
【００１７】
不織布１と不織布２とは矩形状を呈し、略同じ大きさを有しており、それら２枚の不織布が上下に重ねられた状態で、少なくとも２箇所に形成された止着部１０によって止着されて繋がり、清掃シート１００として形成されている。
止着部１０は、ヒートシール、超音波接着、ホットメルト、エンボス、縫合などの手法によって形成されている。
この止着部１０は、掃除具５０の下面の長手方向に対応する互いに略平行な２本の線状に形成されており、それら止着部１０の間の距離は掃除具５０の幅に対応している。
なお、止着部１０は、最外層同士のシートを直接止着していてもよく、また、三層以上のシートが積重されている場合、中間層を介して最外層同士を間接的に止着していてもよい。
【００１８】
拭面部２０は、清掃シート１００が掃除具５０に装着された際に、掃除具５０の下面側となる部分であり、不織布１と不織布２とが積層された比較的厚い部分である。
【００１９】
自由端部３０は、不織布１の自由端部である端部３１，３１と、不織布２の自由端部である端部３２，３２と、を有している。
この自由端部３０は、清掃シート１００を掃除具５０に装着する際の取付端部として機能するとともに、清掃シート１００が掃除具５０に装着された際に、その掃除具５０の縁から離間する方向に延出し、不織布の柔軟性に応じて自由に変形可能となる端部である。
【００２０】
次に、清掃シート１００の使用方法について説明する。
【００２１】
まず、清掃シート１００を掃除具５０に装着する。
図２に示すように、掃除具５０の下面に対して清掃シート１００の拭面部２０を当てがって、自由端部３０における掃除具５０側となった不織布１の端部３１，３１を掃除具５０の上面に対して折り返し、その端部３１を固定部５０ａに挟み込むなどして取り付けて、清掃シート１００を掃除具５０に装着する。
この際、２つの止着部１０間の領域として規定される拭面部２０は、掃除具５０の下面の形状に対応しているので、掃除具５０に対して清掃シート１００を位置合わせしやすく装着しやすくなっている。
【００２２】
そして、ユーザは、清掃シート１００が装着された掃除具５０の把持棒５１を握り、その掃除具５０で床面を磨き擦るように操作し、清掃シート１００で床面を拭き掃除する。
なお、この状態で清掃シート１００の不織布２が掃除具５０の下面側において露出して床面に接触可能となっているので、まず、この不織布２側を使った第一の掃除が行われることとなる。
【００２３】
この拭き掃除の際、清掃シート１００の拭面部２０は、掃除具５０によって床面に押さえ付けられるので、その掃除具５０の移動に応じて床面に擦り付けられることとなって、その床面に付着した汚れを拭い取る作用を奏する。
特に、拭面部２０は、不織布１と不織布２が二枚重なった比較的厚い部分であり、強度が比較的高い部分であるので、床面にこびりついた汚れを擦り落とすことや、床面を磨き上げる仕上げ拭きに適している。
【００２４】
また、この拭き掃除の際、清掃シート１００の自由端部３０における不織布２の端部３２は、掃除具５０の移動に応じて床面を撫でるように掃くこととなって、その床面上の埃や塵を絡め取る作用を奏する。つまり、清掃シート１００の自由端部３０は、集塵フラップとして機能する。
特に、自由端部３０（端部３２）は、不織布一枚分の厚さであるので、掃除具５０が入り込めない狭い隙間にも侵入して、その隙間の埃や塵をかき出すようにして拭き取ることを可能にする。
また、自由端部３０（端部３２）は、不織布の柔軟性に応じて自由に変形可能であるので、掃除具５０が壁に突き当たる際には、その自由端部３０は折れ曲がり丸まるように変形し、その壁と床とのコーナーの隅部にフィットするので、その隅部の埃や塵を拭き残さないように絡め取ることができる。
【００２５】
そして、清掃シート１００の不織布２側での掃除を終えた場合には、清掃シート１００の不織布１の端部３１を固定部５０ａから外し、清掃シート１００を裏返した後、今度は自由端部３０における不織布２の端部３２を掃除具５０の固定部５０ａに取り付けて、再度清掃シート１００を掃除具５０に装着する。この状態で、清掃シート１００の不織布１が掃除具５０の下面側において露出し、床面に接触可能となっているので、不織布１側を使った第二の掃除が行われることとなる。
【００２６】
特に、清掃シート１００を裏返して使用するため、拭面部２０には不織布１の新しい面が露出するとともに、それまで取付端部として機能していた不織布１の端部３１が新しい集塵フラップとして機能するので、汚れの付着が無い清掃シート１００部分によって新品同様の掃除が可能となる。
また、使用済みの不織布２は、汚れ等が付着した面が内側（掃除具５０側）に覆い隠されるように、清掃シート１００が掃除具５０に装着されているので、第二の掃除の際に第一の掃除において拭き取った汚れが清掃シート１００から脱落してしまうことを防ぐようになっている。
【００２７】
このように、清掃シート１００は、床面を強く擦り、こびりついてしまった汚れを拭き取ることに適した拭面部２０と、狭い隙間にも入り込み、床面上の埃や塵を絡め取ることに適した自由端部３０とを備えているので、この清掃シート１００を使用することによって、より良好な拭き取り清掃を行うことができる。
特に、清掃シート１００は、自由端部３０を掃除具５０への取付端部として利用することと、集塵フラップとして利用することに使い分けることで、好適に両面を使用して２回の拭き掃除を可能にする清掃シートである。
【００２８】
なお、清掃シート１００における不織布１と不織布２を、同一種類の不織布で構成した場合、第一の掃除と第二の掃除とは同様の拭き掃除を繰り返すことになるが、不織布１と不織布２とを異なる種類の不織布で構成することによって、第一の掃除と第二の掃除とで異なるタイプの拭き掃除を行うことが可能になる。
【００２９】
例えば、吸水性に優れたスパンレース不織布（１）と、繊維が嵩高く塵埃の捕捉性に優れたエアスルー不織布（２）とを組み合わせた清掃シート１００であれば、水分を拭き取る掃除と、塵埃を拭き取る掃除とに、使い分けることができる。
また、不織布１と不織布２を同一種類の不織布（例えば、スパンレース不織布）で構成するものの、各不織布に異なる薬剤を処理する加工を施すことで、不織布１と不織布２に異なる機能（例えば、吸水性、着塵性などの清掃機能）を付与するようにしてもよい。
【００３０】
また、濃色に着色した不織布（１）と、淡色に着色した不織布（２）とを組み合わせた清掃シート１００であれば、埃などの白っぽい汚れを目立たせて、その拭き取りを確認することと、髪の毛などの黒っぽい汚れを目立たせて、その拭き取りを確認することを可能にする掃除に使い分けることができる。
【００３１】
（実施形態２）
次に、本発明に係る清掃シートの実施形態２について説明する。なお、実施形態１と同一部分には同一符号を付し、異なる部分についてのみ説明する。
【００３２】
清掃シート１１０は、図３に示すように、積重された二枚の不織布１、２同士を止着する二箇所の止着部１０，１０と、それら止着部１０間に位置する拭面部２０と、各止着部１０から拭面部２０の両端側に延在する自由端部３０，３０と、拭面部２０において積重された不織布１と不織布２の間に介装される清掃補助材３と、を備えている。
【００３３】
清掃補助材３は、清掃シート１１０を用いた拭き掃除を行う際に、その清掃機能を向上させたり、新たな機能を付与したりするためのシート材である。
なお、清掃補助材３は、予め不織布１と不織布２の間に介装されていてもよく、また、その使用を所望する際に適宜介装するようにしてもよい。
【００３４】
例えば、清掃補助材３として防水性のフィルム材を不織布１と不織布２の間に介在させることで、第一の掃除において不織布２側で拭き取った水分が裏面側の不織布１に浸透してしまうことを防ぎ、第二の掃除において使用する不織布１を新品同様に維持することができる。
【００３５】
また、清掃補助材３として、水拭き用の水様成分や、ワックス掛け用の油状成分（例えば、艶出し剤、コーティング剤など）が、それぞれ含浸された不織布シート材を不織布１と不織布２の間に介在させることで、それぞれ水拭き掃除やワックス掛け掃除を行うことを可能にする。
特に、通常は清掃補助材３を備えない状態の清掃シート１００として、から拭き掃除に使用し、所望する際に特殊用途用の薬液が含浸された清掃補助材３を不織布１と不織布２の間に介在させることで清掃シート１１０を構成し、高機能の清掃シート１１０として使用することも可能である。
【００３６】
このように、清掃補助材３を付加することによって、清掃シート１１０の清掃機能を向上させたり、清掃シート１１０に新たな清掃機能を付与したりすることが可能になる。
【００３７】
（実施形態３）
次に、本発明に係る清掃シートの実施形態３について説明する。なお、実施形態１と同一部分には同一符号を付し、異なる部分についてのみ説明する。
【００３８】
清掃シート１０１は、図４に示すように、積重された二枚の不織布１、２同士を止着する二箇所の止着部１０，１０と、それら止着部１０間に位置する拭面部２０と、各止着部１０から拭面部２０の両端側に延在する自由端部３０，３０と、自由端部３０の先端側に形成された複数の切込部３０ａ…と、を備えている。
【００３９】
切込部３０ａは、清掃シート１０１の自由端部３０である不織布１の端部３１および不織布２の端部３２の何れにも形成されている。
複数の切込部３０ａ…が形成された自由端部３０の先端側は、複数に分割されて総状を成している。
なお、切込部３０ａの数や切り込みの深さは任意であり、所望する総形状に応じて形成すればよい。
【００４０】
このように、清掃シート１０１の自由端部３０には、複数の切込部３０ａ…が形成されており、その自由端部３０の先端側は複数に分割された総状を成しているため、自由端部３０を集塵フラップとして使用する際に、自由端部３０をより小さな隙間に侵入させることができ、また、総状の自由端部３０に埃や塵が絡み付きやすくなるので、より一層良好な掃除を行うことが可能になる。
【００４１】
（実施形態４）
次に、本発明に係る清掃シートの実施形態４について説明する。なお、実施形態１と同一部分には同一符号を付し、異なる部分についてのみ説明する。
【００４２】
清掃シート１０２は、図５に示すように、積重された二枚の不織布１、２同士を止着する二箇所の止着部１０，１０と、それら止着部１０間に位置する拭面部２０と、各止着部１０から拭面部２０の両端側に延在する自由端部３０，３０と、止着部１０部分に形成されたプリーツ部４０と、を備えている。
【００４３】
プリーツ部４０は、止着部１０において不織布１と不織布２とがプリーツ状に止着されて成る複数の襞を有する。
プリーツ部４０は、例えば、不織布１と不織布２とに皺や襞をよせた状態で、止着部１０を形成することによって得られる。また、不織布１と不織布２との間にテンションをかけた弾性体や熱収縮性の繊維を挟み込んで止着部１０を形成することによってもプリーツ部４０を形成することができる。
このプリーツ部４０が形成された清掃シート１０２の拭面部２０及び自由端部３０は、襞状の凹凸を有する。
なお、プリーツ部４０の襞の数や襞の長さ・深さは任意であり、所望するプリーツ形状に応じて形成すればよい。
【００４４】
このように、清掃シート１０２の拭面部２０及び自由端部３０には、プリーツ部４０による皺や襞の凹凸が形成されているので、清掃シート１０２の表面に埃や塵が絡み付きやすくなるので、より一層良好な掃除を行うことが可能になる。
【００４５】
（実施形態５）
次に、本発明に係る清掃シートの実施形態５について説明する。なお、実施形態１と同一部分には同一符号を付し、異なる部分についてのみ説明する。
【００４６】
清掃シート１０３は、図６に示すように、積重された二枚の不織布１、２同士を止着する二箇所の止着部１０，１０と、それら止着部１０間に位置する拭面部２０と、各止着部１０から拭面部２０の両端側に延在する自由端部３０，３０と、拭面部２０に形成された接着部２１と、を備えている。
【００４７】
接着部２１は、拭面部２０において積重された不織布１と不織布２の少なくとも一部がエンボス加工やホットメルトなどにより止着あるいは接着されてなる部分である。
特に、本実施形態５の清掃シート１０３の場合、拭面部２０において積重された不織布の最外層同士である不織布１と不織布２の少なくとも一部がエンボス加工により止着されて、波形状の四本の接着部２１が形成されている。
この接着部２１が形成されたことによって、不織布１と不織布２とが止着されて互いにずれ難くなる。また、拭面部２０の表面に凹凸が形成される。
【００４８】
なお、接着部２１の数や形状、止着方法は任意であり、所望する凹凸形状や、止着程度に応じて形成すればよい。
また、接着部２１において、最外層同士のシートが直接止着されていてもよく、また、三層以上のシートが積重されている場合、中間層を介して最外層同士が間接的に止着されていてもよく、最外層と中間層とが止着されていてもよい。
【００４９】
このように、清掃シート１０３の拭面部２０には、接着部２１が形成されており、その表面が凹凸を有するので、拭面部２０に埃や塵が絡み付きやすくなって、より一層良好な掃除を行うことが可能になる。
また、その接着部２１によって、不織布１と不織布２とが互いにずれ難くなっているので、拭面部２０の最外層の不織布（１、２）が撚れたりせずに床面に密接し、拭面部２０で床面を良好に拭き上げることができる。
【００５０】
（実施形態６）
次に、本発明に係る清掃シートの実施形態６について説明する。なお、実施形態１と同一部分には同一符号を付し、異なる部分についてのみ説明する。
【００５１】
清掃シート１０４は、図７に示すように、積重された二枚の不織布１、２同士を止着する二箇所の止着部１０，１０と、それら止着部１０間に位置する拭面部２０と、各止着部１０から拭面部２０の両端側に延在する自由端部３０，３０と、不織布１、２に形成された無数のスリット部１２…と、を備えている。
【００５２】
スリット部１２は、不織布１と不織布２にそれぞれ形成されており、不織布の大きさに比べて短い長さに切り裂かれてなる線状の開口部である。
このスリット部１２が開くことによって不織布面に凹凸が生じるようになり、その表面が嵩高くなる。
なお、スリット部１２の数や長さや形状は任意であり、所望する表面嵩高さに応じて形成すればよい。
【００５３】
このように、清掃シート１０４の表面の不織布１、２には、無数のスリット部１２…が形成されており、掃除の際に不織布１、２が床面に擦れてスリット部１２が開くことによって清掃シート１０４の表面が嵩高くなるので、その表面に埃や塵が絡み付きやすくなって、より一層良好な掃除を行うことが可能になる。
特に、開いたスリット部１２が閉じる作用で、スリット部１２の開口部分でゴミを保持するように集塵することができ、効率的な集塵が可能になる。
【００５４】
（実施形態７）
次に、本発明に係る清掃シートの実施形態７について説明する。なお、実施形態１と同一部分には同一符号を付し、異なる部分についてのみ説明する。
【００５５】
清掃シート１２０は、図８に示すように、不織布４と、不織布４の両端をそれぞれ挟むように積重された不織布５，６と、積重された不織布５、４、６同士を止着する二箇所の止着部１０，１０と、を備えており、不織布４が拭面部２０をなし、不織布５，６が自由端部３０をなしている。
【００５６】
この清掃シート１２０を用いて掃除を行い場合、例えば、第一の掃除では、不織布５を取付端部として使用し、その不織布５の先端側を掃除具５０の固定部５０ａに取り付け、清掃シート１２０を掃除具５０に装着して、不織布６を集塵フラップとして使用することができ、また、第二の掃除では、不織布６を取付端部として使用し、その不織布６の先端側を掃除具５０の固定部５０ａに取り付け、清掃シート１２０を掃除具５０に装着して、不織布５を集塵フラップとして使用することができる。
【００５７】
特に、清掃シート１２０においては、拭面部２０と自由端部３０とをそれぞれ異なる不織布とすることができるので、不織布４と、不織布５，６との組み合わせによって、様々な特殊用途用の清掃シートを構成することが可能になる。
例えば、吸水性に優れたスパンレース不織布４からなる拭面部２０と、繊維が嵩高く塵埃の捕捉性に優れたエアスルー不織布５，６からなる自由端部３０とを備える清掃シート１２０であれば、水分を拭き取る掃除と、塵埃を拭き取る掃除との両方に適した清掃に用いることができる。なお、繊維が嵩高く塵埃の捕捉性に優れたエアスルー不織布４からなる拭面部２０と、吸水性に優れたスパンレース不織布５，６からなる自由端部３０とを備える清掃シート１２０であってもよい。
また、極細繊維からなる不織布を拭面部２０用の不織布４として適用すれば、床面に付着した汚れを好適に拭き取ることが可能になる。この場合、極細繊維で作られた不織布４からなる拭面部２０と、エアスルー不織布５，６からなる自由端部３０とを備える清掃シート１２０としてもよく、また、極細繊維で作られた不織布４からなる拭面部２０と、スパンレース不織布５，６からなる自由端部３０とを備える清掃シート１２０としてもよい。
また、濃色に着色した不織布４からなる拭面部２０と、淡色に着色した不織布５，６からなる自由端部３０とを備える清掃シート１２０であれば、埃などの白っぽい汚れを目立たせることと、髪の毛などの黒っぽい汚れを目立たせることができ、掃除の仕上がりを確認することが可能になる。なお、淡色に着色した不織布４からなる拭面部２０と、濃色に着色した不織布５，６からなる自由端部３０とを備える清掃シート１２０であってもよい。
【００５８】
また、不織布４と不織布５，６を同一種類の不織布（例えば、スパンレース不織布）で構成するものの、各不織布に異なる薬剤を処理する加工を施すことで、拭面部２０となる不織布４と、自由端部３０となる不織布５，６に異なる清掃機能を付与するようにしてもよい。
例えば、不織布４に吸水加工、不織布５，６に着塵加工を施した清掃シート１２０、また、不織布４に着塵加工、不織布５，６に吸水加工を施した清掃シート１２０とすれば、水分と塵埃を両方拭き取る掃除に適した清掃シートとすることができる。
また、ワックス掛け用の油状成分（例えば、艶出し剤、コーティング剤など）を含浸させた不織布４（拭面部２０）と、吸水加工または着塵加工が施された不織布５，６（自由端部３０）とからなる清掃シート１２０とすれば、ワックス掛けをしながら掃除を可能にする清掃シートとすることができる。
【００５９】
なお、吸水加工としては、不織布繊維の吸水性を向上させる薬液処理の他、高分子吸収体を不織布の表面や内部に付着させる加工であってもよい。
また、着塵加工としては、不織布繊維の着塵性（例えば、静電帯電性や湿潤吸着性等）を向上させる薬液処理の他、粘着体を不織布の表面や内部に付着させる加工であってもよい。
また、芳香成分や防虫成分などを床面に付与するための薬液処理を、拭面部２０となる不織布４や、自由端部３０となる不織布５，６に施してもよい。
また、不織布５と不織布６に、それぞれ異なる薬液処理を施すなどして、それぞれ異なる機能を付与するようにしてもよい。
【００６０】
このように、拭面部２０と自由端部３０とに、それぞれ異なる清掃機能を付与することによって、清掃シート１２０をより高機能化することが可能になる。
【００６１】
なお、以上の実施の形態においては、不織布であるシートを積重した清掃シートを例に挙げて説明したが、本発明はこれに限定されるものではなく、例えば、清掃シートを構成するシートとして、紙や布や樹脂フィルムなどを清掃用途に応じて用いてもよい。
また、不織布や紙やフィルムが混在して積重された清掃シートであってもよい。
【００６２】
また、以上の実施の形態においては、単層の不織布を複数積重して止着部１０によって止着する構成にしたが、本発明はこれに限定されるものではなく、例えば、スパンレース不織布とエアスルー不織布などが積層されてなる多層型の不織布同士を止着して清掃シートを製造するようにしてもよい。
【００６３】
また、その他、具体的な細部構造等についても適宜に変更可能であることは勿論である。
【図面の簡単な説明】
【００６４】
【図１】本発明に係る清掃シートを示しており、清掃シートを示す斜視図（ａ）と、図１（ａ）のｂ−ｂ線における断面図（ｂ）である。
【図２】清掃シートを掃除具の装着した状態を示す斜視図である。
【図３】本発明の実施形態２における清掃シートを示す断面図である。
【図４】本発明の実施形態３における清掃シートを示す斜視図である。
【図５】本発明の実施形態４における清掃シートを示す斜視図である。
【図６】本発明の実施形態５における清掃シートを示す斜視図である。
【図７】本発明の実施形態６における清掃シートを示す斜視図である。
【図８】本発明の実施形態７における清掃シートを示す断面図である。
【図９】従来の清掃シートを掃除具の装着した状態を示す斜視図である。
【符号の説明】
【００６５】
１、２  不織布（シート）
３      清掃補助材
４、５、６  不織布（シート）
１０    止着部
２０    拭面部
３０    自由端部
３１    端部
３２    端部
１２    スリット部
２１    接着部
３０ａ  切込部
４０    プリーツ部
５０    掃除具
５０ａ  固定部
５１    把持部
１００  清掃シート
１０１、１０２、１０３、１０４  清掃シート
１１０  清掃シート
１２０  清掃シート
【図１】
2010081983.tif 000003
【図２】
2010081983.tif 000004
【図３】
2010081983.tif 000005
【図４】
2010081983.tif 000006
【図５】
2010081983.tif 000007
【図６】
2010081983.tif 000008
【図７】
2010081983.tif 000009
【図８】
2010081983.tif 000010
【図９】
2010081983.tif 000011